(57)【特許請求の範囲】
【請求項１】
無線基地局と通信を行う為の電波を送受信するアンテナと、
前記アンテナで受信した電波の復調を行って受信データを生成すると共に送信データを所定の周波数へ変調して前記アンテナに変調信号を出力する無線通信手段とを有する携帯通信装置において、
前記アンテナが、他の携帯通信装置のアンテナと接触したことを検出する検出手段と、
前記検出手段が接触を検知した場合に前記無線通信手段を制御して前記他の携帯電話との通信を開始させる通信制御手段と、
を備えたことを特徴とする携帯通信装置。
【請求項２】
無線基地局と通信を行う為の電波を送受信するアンテナと、
前記アンテナで受信した電波の復調を行って受信データを生成すると共に送信データを所定の周波数へ変調して前記アンテナに変調信号を出力する無線通信手段とを有する携帯通信装置において、
近距離で他の携帯通信装置と無線通信を行う近距離通信手段と
前記アンテナが、他の携帯通信装置のアンテナと接触したことを検出する検出手段と、
前記検出手段が接触を検知した場合に前記近距離通信手段を制御して前記他の携帯電話との通信を開始させる通信制御手段と、
を備えることを特徴とする携帯通信装置。
【請求項３】
前記検出手段が前記アンテナを接触させた場合の電気特性の変化を検知してアンテナの接触状態を検出することを特徴とする請求項１又は２に記載の携帯通信装置。
【請求項４】
所定の情報を記憶する記憶手段を備え、前記アンテナの接触が検出された場合に、前記通信制御手段が、前記記憶手段に記憶された所定情報を前記他の携帯通信装置に送信する及び／又は他の携帯通信装置からの所定情報を受信して前記記憶手段に記憶することを特徴とする請求項１から３の何れかに記載の携帯通信装置。
【請求項５】
前記他の携帯通信装置から所定情報を受信した場合に、この受信結果を表示する表示手段を備えたことを特徴とする請求項４に記載の携帯通信装置。
【請求項６】
無線基地局と通信を行う為の電波を送受信するアンテナと、前記アンテナを介して通信を行う無線通信手段とを有する携帯通信装置の通信方法であって、
前記アンテナが、他の携帯通信装置のアンテナと接触したことを検出する検出ステップと、
前記アンテナの接触を検出するステップで、該アンテナが接触したことを検出した場合に、前記無線通信手段を制御して前記他の携帯電話との通信を開始させるステップとを含む携帯通信装置の通信方法。
【請求項７】
無線基地局と通信を行う為の電波を送受信するアンテナと、前記アンテナを介して通信を行う無線通信手段と、距離で他の携帯通信装置と無線通信を行う近距離通信手段とを有する携帯通信装置の通信方法であって、
前記アンテナが、他の携帯通信装置のアンテナと接触したことを検出する検出ステップと、
前記アンテナの接触を検出するステップで、該アンテナが接触したことを検出した場合に、前記近距離通信手段を制御して前記他の携帯電話との通信を開始させるステップとを含む携帯通信装置の通信方法。
【発明の詳細な説明】
【０００１】
【発明の属する技術分野】
本発明は、携帯電話等の携帯通信装置のアンテナを接触することにより、他の人の携帯通信装置と情報交換を行ってコミュニケーションをとることのできる携帯通信装置及びその通信方法に関するものである。
【０００２】
【従来の技術】
近年、携帯電話に関する技術開発は著しく、インターネットの閲覧や電子メールの送受信、他の携帯電話とのアドレス情報の交換等、多様な機能を備えるようになってきている。
【０００３】
特に、他の携帯電話との通信機能を備えた携帯電話として、特開２００１−２９８７８０号公報には、主として音声情報の通信、即ち通話を行う無線通信部と別に、近距離無線データ通信技術を適用した無線通信手段を備えた装置が提案されている。
【０００４】
また、赤外線通信や特定小電力無線による通信等、他の方式の無線通信手段を備えた携帯電話も提案されている。
【０００５】
これらの通信手段によれば、ケーブル等の付属品で接続する手間をかけずに、携帯電話間の通信を行うことができる。
【０００６】
【発明が解決しようとする課題】
しかしながら、前述のような無線通信手段を用いて通信を行う場合、ケーブルを接続する手間が省ける反面、接続状態を目視できず、接続しているか否かを判別しにくいという問題点があった。
【０００７】
特に、携帯電話のメモリに記憶されている名前や住所、電話番号、メールアドレス等の個人情報を特定のユーザに送信する場合において、真にその通信相手とだけ接続しているのか否かをユーザが感得できず、不安を抱くことがあった。
【０００８】
そこで本発明は、斯かる実情に鑑み、簡易で且つユーザに不安を起こさせることなく他の携帯通信装置との通信を行うことを可能とした携帯通信装置及び携帯通信装置の通信方法を提供することを目的とする。
【０００９】
【課題を解決するための手段】
本発明の携帯通信装置及び携帯通信装置の通信方法は、無線基地局と通信を行う為の電波を送受信するアンテナと、このアンテナを介して通信を行う無線通信手段とを有する携帯通信装置にて、前記アンテナが他の携帯通信装置のアンテナと接触したことを検出し、このアンテナの接触を契機として前記他の携帯電話との通信を開始させるものである。
【００１０】
これにより、ケーブルなどの特別な付属品で接続せずに簡易に通信を行うことができるようにし、且つアンテナを接触させた相手と通信を行うことで、所定の通信相手と接続していることを感得できるようにし、ユーザに不安を起こさせることを防止している。
【００１１】
【発明の実施の形態】
以下、本発明の実施の形態を図示例と共に説明する。
【００１２】
（第１の実施形態）
図１は本発明の一実施の形態における携帯電話装置（携帯通信装置）を示すブロック図である。
図１に示すように、本実施形態の携帯電話装置１は、無線基地局（図示せず）と通信を行う為の電波（本例では８００ＭＨｚ）を送受信するアンテナ１１と、アンテナ１１で受信した電波の復調を行って受信データを生成すると共に送信データを所定の周波数へ変調してアンテナ１１に変調信号を出力する無線回路部(無線通信手段)１２と、無線回路部１２で生成された復調信号を復号化するとともに、符号化した送信データを無線回路部１２へ出力して通信を行わせる制御回路部１３と、たとえばＬＣＤからなり情報表示を行う表示部１４とを有している。
【００１３】
また、該携帯電話装置１は、ユーザデータや受信データが格納される記憶装置部１５と、ユーザの所望する機能を実行するための入力（キー操作）が行われるキー操作部１６と、使用者に着信を報知する着信報知回路部１７と、制御回路部１３により復号化された音声データを音声符号化方式の仕様で復号化した後にアナログ変換して音声信号を生成するとともに入力された音声信号をデジタル変換した後に音声符号化方式の仕様で符号化して音声データとして制御回路部１３へ出力する音声コーデック１８と、たとえばスピーカおよびアンプからなる音声出力部１９と、たとえばマイクからなる音声入力部２０と、近距離の他の携帯電話装置と通信を行う近距離通信手段２１と、アンテナを接触させた場合の電気特性の変化を検知して前記アンテナ１１が他の携帯電話装置のアンテナと接触したこと（該アンテナの接触状態）を検出する検出手段２２とを有した構成とされている。
【００１４】
なお、着信報知回路部１７における着信報知としては、たとえばリンガ等の音による報知、ＬＥＤの点滅やＬＣＤ表示等の光による報知、またはバイブレータ駆動等の振動による報知が行われる。
【００１５】
このような構成を有する携帯電話装置１において、同様の構成の携帯電話装置２との通話（送話および受話）は次のようにして行われる。
【００１６】
まず発信側のユーザが、キー操作部１６を操作して発信先の電話番号を設定し、通話ボタン（不図示）を押すと、制御回路部１３が無線回路部１２を制御して無線基地局に対する通信を開始させ、該電話番号に応じた信号（所謂トーン信号）を発信する。
【００１７】
これに応じて無線基地局は、発信先の携帯電話装置へ着信を知らせる信号を送信する。該発信先の携帯電話は、アンテナ１１を介してこの信号を受信し、これを無線回路部１２で復号化し、制御回路部１３で着信信号と判断すると着信報知回路部１７により、着信側のユーザに着信を報知する。
【００１８】
そして、着信側のユーザが通話ボタンを押し、この通話ボタンが押された旨の信号が無線基地局に通知されると、当該携帯電話装置間の回線が確立され、通話が開始される。
【００１９】
このとき送話は、携帯電話装置１のユーザが音声入力部２０へ向かって話すことで音声が入力され、この音声入力部２０が入力された音声を音声信号（電気信号）に変換して音声コーデック１８へ出力する。音声コーデック１８は、音声入力部２０から入力された音声信号をデジタル変換し、さらに音声符号化方式の仕様で符号化して制御回路部１３へ出力する。制御回路部１３は、音声コーデック１８から入力された音声データを送信データとして符号化し、これを無線回路部１２へ出力する。そして、無線回路部１２は、制御回路部１３から入力された送信データを変調して、アンテナ１１へ出力する。アンテナ１１は、無線回路部１２から入力された変調信号を無線基地局（図示せず）へ電波として出力する。
【００２０】
そして、受話においては、アンテナ１１が無線基地局（図示せず）からの電波を受信し、変調信号を無線回路部１２へ入力する。無線回路部１２は、アンテナ１１から入力された変調信号を復調して制御回路部１３へ出力する。制御回路部１３は、無線回路部１２から入力された復調信号を受信データとして復号化し、この受信データを音声コーデック１８へ入力する。音声コーデック１８は、制御回路部１３から入力された音声データを音声符号化方式の仕様で復号化し、さらにアナログ変換して音声信号として音声出力部１９へ出力する。音声出力部１９は入力された音声信号を音声として出力する。
【００２１】
また、本実施形態の携帯電話装置１は、近距離通信手段によって近距離にある他の携帯電話装置と通信することが可能となっている。
【００２２】
図２は、近距離にいるユーザが、名刺交換を行うように、相対して各々の携帯電話装置内に記憶された氏名や電話番号、住所等の情報（以下、便宜上これらの情報を名刺情報とも称する）を交換する場合の説明図、図３は近距離通信手順（本発明に係る携帯電話の通信方法）の説明図である。なお、携帯電話装置２は、上述の装置１と略同一の構成であるので、同一の要素に同符号を付し、再度の説明を省略する。また、携帯電話装置１と携帯電話装置２とは、同じ操作を行うので、携帯電話装置１を主として説明をし、携帯電話２の説明を一部省略する。
【００２３】
先ず、ユーザの操作によりキー操作部１６から「名刺情報の交換」の指示が入力されると（ステップ１、以下Ｓ１のように略記する）、携帯電話装置１の制御回路部１３は、無線回路部１２を制御して図４（Ａ）に示す断続的な電波（８００ＭＨｚ）を出力する（Ｓ２）。
【００２４】
また、制御回路部１３は、検出手段２２によりアンテナ１１の接触状態の検出を開始する（Ｓ３）。
【００２５】
該検出手段２２は、アンテナ１１と近接して配置されたコイル（不図示）を有し、アンテナ１１に通信用の電波が伝わると、電磁誘導によって該コイルに電流が生じるので、この電流の有無によってアンテナ１１の状態を検知している。
【００２６】
このとき互いのユーザが図２に示すようにアンテナ１１を接触させると、通信相手となる携帯電話装置２から発信された電波によっても検出手段２２のコイルに電流が生じるので、この通信相手由来の電流の有無（通信相手由来の電流が無い状態から有る状態への電気特性の変化）によってアンテナ１１の接触状態を検出できる。
【００２７】
即ち前記図４（Ａ）に示す電波を出力する携帯電話装置１のアンテナ１１と、図４（Ｂ）に示す電波を出力する携帯電話装置２のアンテナ１１とを接触させると、これらを重畳した図４（Ｃ）に示す波形が検出手段２２で検出される。そして検出手段２２は、このうち図４（Ａ）に示す携帯電話装置１から出力している期間の波形を除き、図４（Ｄ）に示すように携帯電話装置２からの信号成分を検知した場合にアンテナ同士が接触した状態であることを検出し、この携帯電話装置２からの信号成分が無ければ、アンテナ同士が接触していないことを検出する。
【００２８】
なお、検出手段２２の感度によっては、アンテナ同士が近接した場合にも携帯電話装置２からの電波によって誘導電流が発生するが、近接して生じる電流値よりも接触して生じる電流値の方が格段に大きいので、これらの電流値の間に閾値を設け、接触した場合にのみ誘導電流を検知するように設定して、アンテナ同士が接触したか否かを検出できるようにしている。
【００２９】
この検出手段２２で、アンテナ同士が接触したことを検出した場合(Yes)、制御回路部１３は、近距離通信手段２１による通信を開始させる（Ｓ４）。なお、アンテナ同士が接触していないことを検出した場合(No)、制御回路部１３は、接触したことを検出するまでこの検出を繰り返し、待機状態とする。
【００３０】
通信の開始が指示されると近距離通信手段２１は、記憶装置部１５から名刺情報を読み出し、所定のプロトコルに従って変調して携帯電話装置２に送信する（Ｓ５）。
【００３１】
また、近距離通信手段２１は、携帯電話装置２から受信した信号を復号化して、通信相手の名刺情報とし、これを記憶装置部１５に記憶する（Ｓ６）。
【００３２】
このように本実施形態によれば、アンテナを接触させた相手と通信を行うので、誰と通信を行っているのかが視覚的に捉えられ、意図しない相手に情報を送信してしまうといった心配を生じさせない。なおかつ本実施携帯ではケーブル等の付属品を用いて接続する必要が無く、簡易に通信を行うことができるようにしている。
【００３３】
なお、本実施形態では、近距離通信時のみでアンテナの接触状態を検出したが、これに加え、近距離通信時以後も所定の間隔で検出を行い、接触していないことを検出した時点で近距離通信を終了させる構成としても良い。
【００３４】
また、本形態では、アンテナの接触を電磁誘導によって検出したが、接触状態が検出できるものであればこれに限らず、アンテナを接触させたときの電位変動や静電容量の変化を検出するものであっても良い。
【００３５】
また、本実施形態において、近距離とは、特定省電力無線や赤外線等で通信が可能な距離（例えば１００ｍ）であって、少なくとも通信開始時にアンテナ同士を接触できる距離である。
【００３６】
（第２の実施形態）
図５は、本発明に係る第２の実施形態の概略図である。本実施形態は、前述の形態と比べて近距離通信手段を省略し、アンテナ接触後の通信を通話と同様に無線基地局を介して行う点が異なっており、その他の構成は略同じである。なお、前述の実施形態と同一の要素については、同符号を付すなどして再度の説明を省略している。
【００３７】
本実施形態の携帯電話装置３，４は、データ通信を選択すると図６に示すように無線基地局４０を介して回線を確立し、接触状態の検出を行う。
【００３８】
そして、アンテナ１１が接触したことを検知すると制御回路部１３は記憶装置部１５に記憶されている名刺情報を読み出し、無線回路部１２によって変調信号とし、無線基地局４０に送信する。
【００３９】
無線基地局４０は、該変調信号をデータサーバ４１で受信し、当該通信相手である携帯電話装置に送信する。
【００４０】
この無線基地局４０から変調信号を受信した携帯電話装置は、これを復調して名刺情報とし、記憶装置部１５に記憶する。
【００４１】
このように、本実施形態によれば、近距離通信手段を備えていなくても、通信相手と相対して情報の交換を行うことができる。
【００４２】
〈その他の実施形態〉
【００４３】
本発明の携帯通信装置及びその通信方法は、上述の図示例にのみ限定されるものではなく、本発明の要旨を逸脱しない範囲内において種々変更を加え得ることは勿論である。
【００４４】
例えば以下の各項に示した構成であっても前述の実施形態と同様の効果が得られる。
【００４５】
〔１〕：
無線基地局と通信を行う為の電波を送受信するアンテナと、
前記アンテナで受信した電波の復調を行って受信データを生成すると共に送信データを所定の周波数へ変調して前記アンテナに変調信号を出力する無線通信手段とを有する携帯通信装置において、
前記アンテナが、他の携帯通信装置のアンテナと接触したことを検出する検出手段と、
前記検出手段が接触を検知した場合に前記無線通信手段を制御して前記他の携帯電話との通信を開始させる通信制御手段と、
を備えたことを特徴とする携帯通信装置。
【００４６】
〔２〕：
無線基地局と通信を行う為の電波を送受信するアンテナと、
前記アンテナで受信した電波の復調を行って受信データを生成すると共に送信データを所定の周波数へ変調して前記アンテナに変調信号を出力する無線通信手段とを有する携帯通信装置において、
近距離で他の携帯通信装置と無線通信を行う近距離通信手段と
前記アンテナが、他の携帯通信装置のアンテナと接触したことを検出する検出手段と、
前記検出手段が接触を検知した場合に前記近距離通信手段を制御して前記他の携帯電話との通信を開始させる通信制御手段と、
を備えることを特徴とする携帯通信装置。
【００４７】
〔３〕：
前記検出手段が前記アンテナを接触させた場合の電気特性の変化を検知してアンテナの接触状態を検出することを特徴とする〔１〕又は〔２〕に記載の携帯通信装置。
【００４８】
〔４〕：
所定の情報を記憶する記憶手段を備え、前記アンテナの接触が検出された場合に、前記通信制御手段が、前記記憶手段に記憶された所定情報を前記他の携帯通信装置に送信する及び／又は他の携帯通信装置からの所定情報を受信して前記記憶手段に記憶することを特徴とする〔１〕から〔３〕の何れかに記載の携帯通信装置。
【００４９】
〔５〕：
前記他の携帯通信装置から所定情報を受信した場合に、この受信結果を表示する表示手段を備えたことを特徴とする〔４〕に記載の携帯通信装置。
【００５０】
〔６〕：
無線基地局と通信を行う為の電波を送受信するアンテナと、前記アンテナを介して通信を行う無線通信手段とを有する携帯通信装置の通信方法であって、
前記アンテナが、他の携帯通信装置のアンテナと接触したことを検出する検出ステップと、
前記アンテナの接触を検出するステップで、該アンテナが接触したことを検出した場合に、前記無線通信手段を制御して前記他の携帯電話との通信を開始させるステップとを含む携帯通信装置の通信方法。
【００５１】
〔７〕：
無線基地局と通信を行う為の電波を送受信するアンテナと、前記アンテナを介して通信を行う無線通信手段と、距離で他の携帯通信装置と無線通信を行う近距離通信手段とを有する携帯通信装置の通信方法であって、
前記アンテナが、他の携帯通信装置のアンテナと接触したことを検出する検出ステップと、
前記アンテナの接触を検出するステップで、該アンテナが接触したことを検出した場合に、前記近距離通信手段を制御して前記他の携帯電話との通信を開始させるステップとを含む携帯通信装置の通信方法。
【００５２】
本発明において、上記の各構成は、可能な限り組み合わせることができる。
【００５３】
【発明の効果】
以上、説明したように本発明の携帯通信装置及びその通信方法は、簡易で且つユーザに不安を起こさせることなく他の携帯通信装置との通信を行うことを可能とした携帯通信装置及び携帯通信装置の通信方法を提供することができる。
【図面の簡単な説明】
【図１】本発明に係る第１の実施形態としての携帯電話装置の概略図
【図２】近距離通信手段により名刺情報を交換する場合の説明図
【図３】本発明に係る携帯電話の通信方法の説明図
【図４】アンテナの接触状態を検出する際の説明図
【図５】本発明に係る第２の実施形態としての携帯電話装置の概略図
【図６】図５の携帯電話装置間で情報を交換する場合の説明図
【符号の説明】
１，２，３，４    携帯電話装置（携帯通信装置）
１１  アンテナ
１２  無線回路部
１３  制御回路部
１４  表示部
１５  記憶装置部
１６  キー操作部
１７  着信報知回路部
１８  音声コーデック
１９  音声出力部
２０  音声入力部
２１  近距離通信手段
２２  検出手段
４０  無線基地局
４１  データサーバ
【図１】
0003779643.tif 000002
【図２】
0003779643.tif 000003
【図３】
0003779643.tif 000004
【図４】
0003779643.tif 000005
【図５】
0003779643.tif 000006
【図６】
0003779643.tif 000007